【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
円筒状外側固定部（３０１）の内側に円筒状回転体（３０２）をその上下が円筒状外側固定部より突出するように非接触で内装し、この円筒状回転体の外側と前記円筒状外側固定部の内側とで形成される狭い気体通路に圧縮空気を供給管（３０３）より供給し、前記円筒状回転体を円筒状固定部に非接触で支持する空気軸受、この空気軸受の側壁外周および底部を囲繞する軸受ハウジング材（３０４）、前記円筒状回転体（３０２）下部に固定される底部に対称的に２箇所の凹部（３０８ａ）を有する円板状案内板（３０８）、前記円筒状回転体（３０２）上部に固定される丸型電磁チャック（３ａ）よりなるロ−タリ−テ−ブル（３００）、
および、
前記軸受ハウジング材（３０４）を支持する中央が円筒状体（３０９ａ）の主軸ハウジング材（３０９）、該主軸ハウジング材の中央円筒状体（３０９ａ）内に設けられた上方部にフランジ部（３０６ａ）を備える主軸（３０６）、該主軸を水平方向に回転させる回転機構（３０５）、該主軸（３０６）上に該主軸の軸心（３０６ｃ）と前記空気軸受の円筒状回転体の軸心（３０２ａ）とが同一直線上の位置に在るように前記主軸を軸受するころがり軸受（３０７）、主軸上部に設けられたフランジ部（３０６ａ）側壁外面に水平方向に固定され、かつ、主軸（３０６）回転時に前記円板状案内板（３０８）の凹部（３０８ａ）壁に触れてロ−タリ−テ−ブルの円筒状回転体（３０２）を回転させる１対の案内ピン（３０６ｂ）、を備える主軸装置（３１０）、
よりなるロ−タリ−テ−ブル装置（３）。
【請求項２】
請求項１に記載のロ−タリ−テ−ブル装置（３）、および、該ロ−タリ−テ−ブル装置の丸型電磁チャック（３ａ）に対し、上下方向に昇降可能な砥石頭（５）を前後方向に移動可能に設置したツ−ルテ−ブル（２００）を備える研削装置（２）とからなるロ−タリ−研削装置（１）において、前記ツ−ルテ−ブル（２００）は、一対のレ−ル部分（１３ａ，１３ｃ）を上面に有するガイド本体（１００）を非接触に滑走する滑走面に油ポケットを有するスライド本体（２００）であり、このガイド本体（１００）とスライド本体（２００）とから静圧直動案内装置（６０）を構成し、
前記ガイド本体（１００）は、ベッド（１１）の上面に左右対称に４条の突起体（１２ａ，１２ｂ，１２ｃ，１２ｄ）を設けて３条の凹部（１３ａ，１３ｂ，１３ｃ）を設け、外側の突起体（１２ａ，１２ｄ）の上面に当て板（１４ａ，１４ｂ）を内方に向けて前記第一凹部（１３ａ）と第三凹部（１３ｃ）の上方一部を塞ぐように敷設して第一凹部レ−ル（１３ａ）と第二凹部レ−ル（１３ｃ）を設けたガイド本体（１００）であり、
スライド本体（２００）は、そのテ−ブル（２１）下面に前記ガイド本体（１００）に設けられた内側の突起体（１２ｂ，１２ｃ）の上面に当接するとともに、ガイド本体（１００）に設けられた当て板（１４ａ，１４ｂ）の内側面に外側面が対向する突起体（２２ａ，２２ｂ）を左右対称に設け、更にその突起体（２２ａ，２２ｂ）の下面途中より外側に向けてガイド本体（１００）の第一凹部（１３ａ）と第三凹部（１３ｃ）の両側面に側面が対向する当て板（２３ａ，２３ｂ）を敷設した段部脚構造のスライド本体（２００）であり、
前記ガイド本体（１００）の第二突起体（１２ｂ）、第三突起体（１２ｃ）の上面と、スライド本体（２００）の突起体（２２ａ，２２ｂ）の下面が当接する面で第一摺動面（３１，３１）を、
前記ガイド本体（１００）の当て板（１４ａ，１４ｂ）の下面と、スライド本体（２００）の当て板（２３ａ，２３ｂ）の上面が当接する面で第二摺動面（３２，３２）を、
前記ガイド本体（１００）の当て板（１４ａ，１４ｂ）の内側面と、スライド本体（２００）の突起体（２２ａ，２２ｂ）の外側面が対向する面で第三摺動面（３３，３３）を、
前記ガイド本体（１００）の第一凹部（１３ａ）を形成する第二突起体（１２ｂ）の内側面とスライド本体（２００）の当て板（２３ａ）の左側面が対向する面で第四摺動面（３４ａ）を、および前記ガイド本体（１００）の第三凹部（１３ｃ）を形成する第三突起体（１２ｃ）の内側面とスライド本体（２００）の当て板（２３ｂ）の右側面が対向する面で第四摺動面（３４ｂ）を、
前記ガイド本体（１００）の第一凹部（１３ａ）を形成する第一突起体（１２ａ）の左側面とスライド本体（２００）の当て板（２３ａ）の右側面が対向する面で第五摺動面（３５ａ）を、および前記ガイド本体（１００）の第三凹部（１３ｃ）を形成する第四突起体（１２ｄ）の右側面とスライド本体（２００）の当て板（２３ｂ）の左側面が対向する面で第五摺動面（３５ｂ）を設け、
前記スライド本体（２００）の第一摺動面（３１）を形成する（突起体２２ａ，２２ｂ）の下面に油ポケット（４１，４１）を、第二摺動面（３２）を形成する当て板（２３ａ，２３ｂ）の上面に油ポケット（４２，４２）を、第三摺動面（３３）を形成する第一および第二突起体（２２ａ，２２ｂ）の外側面に油ポケット（４３，４３）を、第四摺動面（３４）を形成する当て板（２３ａ，２３ｂ）の外側面に油ポケット（４４，４４）を適宜な位置に設けて成る、
静圧直動案内機構（６０）であることを特徴とする、ロ−タリ−研削装置（１）。
【手続補正２】
【補正対象書類名】明細書
【補正対象項目名】０００８
【補正方法】変更
【補正の内容】
【０００８】
請求項１の発明は、円筒状外側固定部（３０１）の内側に円筒状回転体（３０２）をその上下が円筒状外側固定部より突出するように非接触で内装し、この円筒状回転体の外側と前記円筒状外側固定部の内側とで形成される狭い気体通路に圧縮空気を供給管（３０３）より供給し、前記円筒状回転体を円筒状固定部に非接触で支持する空気軸受、この空気軸受の側壁外周および底部を囲繞する軸受ハウジング材（３０４）、前記円筒状回転体（３０２）下部に固定される底部に対称的に２箇所の凹部（３０８ａ）を有する円板状案内板（３０８）、前記円筒状回転体（３０２）上部に固定される丸型電磁チャック（３ａ）よりなるロ−タリ−テ−ブル（３００）、
および、
前記軸受ハウジング材（３０４）を支持する中央が円筒状体（３０９ａ）の主軸ハウジング材（３０９）、該主軸ハウジング材の中央円筒状体（３０９ａ）内に設けられた上方部にフランジ部（３０６ａ）を備える主軸（３０６）、該主軸を水平方向に回転させる回転機構（３０５）、該主軸（３０６）上に該主軸の軸心（３０６ｃ）と前記空気軸受の円筒状回転体の軸心（３０２ａ）とが同一直線上の位置に在るように前記主軸を軸受するころがり軸受（３０７）、主軸上部に設けられたフランジ部（３０６ａ）側壁外面に水平方向に固定され、かつ、主軸（３０６）回転時に前記円板状案内板（３０８）の凹部（３０８ａ）壁に触れてロ−タリ−テ−ブルの円筒状回転体（３０２）を回転させる１対の案内ピン（３０６ｂ）、を備える主軸装置（３１０）、
よりなるロ−タリ−テ−ブル装置（３）を提供するものである。
【手続補正３】
【補正対象書類名】明細書
【補正対象項目名】０００９
【補正方法】変更
【補正の内容】
【０００９】
請求項２の発明は、前記請求項１に記載のロ−タリ−テ−ブル装置（３）、および、該ロ−タリ−テ−ブル装置の丸型電磁チャック（３ａ）に対し、上下方向に昇降可能な砥石頭（５）を前後方向に移動可能に設置したツ−ルテ−ブル（２００）を備える研削装置（２）とからなるロ−タリ−研削装置（１）において、前記ツ−ルテ−ブル（２００）は、一対のレ−ル部分（１３ａ，１３ｃ）を上面に有するガイド本体（１００）を非接触に滑走する滑走面に油ポケットを有するスライド本体（２００）であり、このガイド本体（１００）とスライド本体（２００）とから静圧直動案内装置（６０）を構成し、
前記ガイド本体（１００）は、ベッド（１１）の上面に左右対称に４条の突起体（１２ａ，１２ｂ，１２ｃ，１２ｄ）を設けて３条の凹部（１３ａ，１３ｂ，１３ｃ）を設け、外側の突起体（１２ａ，１２ｄ）の上面に当て板（１４ａ，１４ｂ）を内方に向けて前記第一凹部（１３ａ）と第三凹部（１３ｃ）の上方一部を塞ぐように敷設して第一凹部レ−ル（１３ａ）と第二凹部レ−ル（１３ｃ）を設けたガイド本体（１００）であり、
スライド本体（２００）は、そのテ−ブル（２１）下面に前記ガイド本体（１００）に設けられた内側の突起体（１２ｂ，１２ｃ）の上面に当接するとともに、ガイド本体（１００）に設けられた当て板（１４ａ，１４ｂ）の内側面に外側面が対向する突起体（２２ａ，２２ｂ）を左右対称に設け、更にその突起体（２２ａ，２２ｂ）の下面途中より外側に向けてガイド本体（１００）の第一凹部（１３ａ）と第三凹部（１３ｃ）の両側面に側面が対向する当て板（２３ａ，２３ｂ）を敷設した段部脚構造のスライド本体（２００）であり、
前記ガイド本体（１００）の第二突起体（１２ｂ）、第三突起体（１２ｃ）の上面と、スライド本体（２００）の突起体（２２ａ，２２ｂ）の下面が当接する面で第一摺動面（３１，３１）を、
前記ガイド本体（１００）の当て板（１４ａ，１４ｂ）の下面と、スライド本体（２００）の当て板（２３ａ，２３ｂ）の上面が当接する面で第二摺動面（３２，３２）を、
前記ガイド本体（１００）の当て板（１４ａ，１４ｂ）の内側面と、スライド本体（２００）の突起体（２２ａ，２２ｂ）の外側面が対向する面で第三摺動面（３３，３３）を、
前記ガイド本体（１００）の第一凹部（１３ａ）を形成する第二突起体（１２ｂ）の内側面とスライド本体（２００）の当て板（２３ａ）の左側面が対向する面で第四摺動面（３４ａ）を、および前記ガイド本体（１００）の第三凹部（１３ｃ）を形成する第三突起体（１２ｃ）の内側面とスライド本体（２００）の当て板（２３ｂ）の右側面が対向する面で第四摺動面（３４ｂ）を、
前記ガイド本体（１００）の第一凹部（１３ａ）を形成する第一突起体（１２ａ）の左側面とスライド本体（２００）の当て板（２３ａ）の右側面が対向する面で第五摺動面（３５ａ）を、および前記ガイド本体（１００）の第三凹部（１３ｃ）を形成する第四突起体（１２ｄ）の右側面とスライド本体（２００）の当て板（２３ｂ）の左側面が対向する面で第五摺動面（３５ｂ）を設け、
前記スライド本体（２００）の第一摺動面（３１）を形成する（突起体２２ａ，２２ｂ）の下面に油ポケット（４１，４１）を、第二摺動面（３２）を形成する当て板（２３ａ，２３ｂ）の上面に油ポケット（４２，４２）を、第三摺動面（３３）を形成する第一および第二突起体（２２ａ，２２ｂ）の外側面に油ポケット（４３，４３）を、第四摺動面（３４）を形成する当て板（２３ａ，２３ｂ）の外側面に油ポケット（４４，４４）を適宜な位置に設けて成る、
静圧直動案内機構（６０）であることを特徴とする、ロ−タリ−研削装置（１）を提供するものである。
【手続補正４】
【補正対象書類名】明細書
【補正対象項目名】００１７
【補正方法】変更
【補正の内容】
【００１７】
前記ガイド本体１００の第二突起体１２ｂ、第三突起体１２ｃの上面と、スライド本体２の突起体２２ａ，２２ｂの下面が当接する面で第一摺動面３１，３１を、
前記ガイド本体１００の当て板１４ａ，１４ｂの下面と、スライド本体２００の当て板２３ａ，２３ｂの上面が当接する面で第二摺動面３２，３２を、
前記ガイド本体１００の当て板１４ａ，１４ｂの内側面と、スライド本体２００の突起体２２ａ，２２ｂの外側面が対向する面で第三摺動面３３，３３を、
前記ガイド本体１００の第一凹部１３ａを形成する第二突起体１２ｂの内側面とスライド本体２００の当て板２３ａの左側面が対向する面で第四摺動面３４ａを、および前記ガイド本体１００の第三凹部１３ｃを形成する第三突起体１２ｃの内側面とスライド本体２の当て板２３ｂの右側面が対向する面で第四摺動面３４ｂを、
前記ガイド本体１００の第一凹部１３ａを形成する第一突起体１２ａの左側面とスライド本体２００の当て板２３ａの右側面が対向する面で第五摺動面３５ａを、および前記ガイド本体１の第三凹部１３ｃを形成する第四突起体１２ｄの右側面とスライド本体２の当て板２３ｂの左側面が対向する面で第五摺動面３５ｂを設け、
前記スライド本体２００の第一摺動面３１を形成する突起体２２ａ，２２ｂの下面に油ポケット４１，４１を、第二摺動面３２を形成する当て板２３ａ，２３ｂの上面に油ポケット４２，４２を、第三摺動面３３を形成する第一および第二突起体２２ａ，２２ｂの外側面に油ポケット４３，４３を、第四摺動面３４を形成する当て板２３ａ，２３ｂの外側面に油ポケット４４，４４を適宜な位置に設けてある。